(57)【要約】【課題】簡単な構成で、複数の遊技機用モジュールを一括して冷却する遊技機用ユニットおよび遊技機を提供する。【解決手段】それぞれがモジュールケース２８、５３内に発熱部品５６を有し、相互に隣接して配置した複数の遊技機用モジュール５、６と、複数のモジュールケース２８、５３間に亘って配設され、吸込み側を複数の連通口４６、４７を介して各モジュールケース内に連通し、吹出し側を排気口４８を介して外部に連通する連通流路９と、連通流路９に設けた単一の排気ファン４９と、連通流路９から離間して各モジュールケース２８、５３に設けられ、排気ファン４９の駆動に伴って外部のエアーを各モジュールケース２８、５３内に導く吸気口４１、４２、４３、６６と、を備えた。【選択図】図４
2008237506.tif 000002
【特許請求の範囲】
【請求項１】
それぞれがモジュールケース内に発熱部品を有し、相互に隣接して配置した複数の遊技機用モジュールと、
前記各モジュールケース内に連通する複数の連通口と、外部に連通する排気口とを有し、前記複数のモジュールケース間に亘って配設される連通流路と、
前記連通流路に設けた排気ファンと、
前記連通流路から離間して前記各モジュールケースに設けられ、前記排気ファンの駆動に伴って外部のエアーを前記各モジュールケース内に導く吸気口と、を備えたことを特徴とする遊技機用ユニット。
【請求項２】
それぞれがモジュールケース内に発熱部品を有し、相互に隣接して配置した複数の遊技機用モジュールと、
外部に連通する吸気口と、前記各モジュールケース内に連通する複数の連通口とを有し、前記複数のモジュールケース間に亘って配設される連通流路と、
前記連通流路に設けた吸気ファンと、
前記連通流路から離間して前記各モジュールケースに設けられ、前記吸気ファンの駆動に伴って前記各モジュールケース内のエアーを外部に導く排気口と、を備えたことを特徴とする遊技機用ユニット。
【請求項３】
前記連通流路は、前記複数のモジュールケースの任意の１の前記モジュールケースに一体に形成され、
他のモジュールケースに対し、前記連通口部分で係合していることを特徴とする請求項１または２に記載の遊技機用ユニット。
【請求項４】
前記複数の遊技機用モジュールは、間隙を存して重ねるように配置した２つの遊技機用モジュールで構成され、
前記連通流路は、前記間隙に配設されていることを特徴とする請求項１ないし３のいずれかに記載の遊技機用ユニット。
【請求項５】
請求項１ないし４のいずれかに記載の遊技機用ユニットを備えたことを特徴とする遊技機。
【発明の詳細な説明】
【技術分野】
【０００１】
本発明は、発熱部品の冷却機構を備えた遊技機用ユニットおよび遊技機に関するものである。
【背景技術】
【０００２】
従来、パチンコ等の遊技機に組み込まれる回路基板から発生する熱対策として、回路基板を冷却するための冷却装置を設けた制御ユニット（表示制御装置）が知られている。この制御ユニットは、表面に電子部品が実装された回路装置（回路基板）と、回路基板を収容するケースと、ケースに設けられ、回路基板を冷却するための冷却ファンと、冷却風の流路を形成するための整流板と、で構成されている。この場合、冷却ファンを駆動し、外気を回路装置に送り込むことで、整流板で形成された流路に冷却風の気流が形成され、この冷却風により回路装置内の冷却を行う。（例えば、特許文献１参照。）
【特許文献１】特開２００５−２４５５０４号公報
【発明の開示】
【発明が解決しようとする課題】
【０００３】
ところで、遊技機内に複数の遊技機用モジュール（制御モジュール等）が設置されている場合においては、各モジュールは、モジュール毎にケーシングされている。この場合、上述の冷却方法では、それぞれのモジュール毎に冷却装置（冷却ファン等）を設けて冷却を行う必要がある。このため、制御モジュールの増加に伴い冷却装置が増加すると、それぞれの冷却風の流れが干渉する惧れがあるため、冷却装置の配置が制限されると共に、冷却装置を設置するコストが掛かるという問題がある。
【０００４】
本発明は、簡単な構成で、複数の遊技機用モジュールを一括して冷却する遊技機用ユニットおよび遊技機を提供する。
【課題を解決するための手段】
【０００５】
本発明の遊技機用ユニットは、それぞれがモジュールケース内に発熱部品を有し、相互に隣接して配置した複数の遊技機用モジュールと、各モジュールケース内に連通する複数の連通口と、外部に連通する排気口とを有し、複数のモジュールケース間に亘って配設される連通流路と、連通流路に設けた排気ファンと、連通流路から離間して各モジュールケースに設けられ、排気ファンの駆動に伴って外部のエアーを各モジュールケース内に導く吸気口と、を備えたことを特徴とする。
【０００６】
本発明の他の遊技機用ユニットは、それぞれがモジュールケース内に発熱部品を有し、相互に隣接して配置した複数の遊技機用モジュールと、外部に連通する吸気口と、各モジュールケース内に連通する複数の連通口とを有し、複数のモジュールケース間に亘って配設される連通流路と、連通流路に設けた吸気ファンと、連通流路から離間して各モジュールケースに設けられ、吸気ファンの駆動に伴って各モジュールケース内のエアーを外部に導く排気口と、を備えたことを特徴とする。
【０００７】
これらの構成によれば、排気ファンにより、複数の遊技機用モジュール内の吸気口から外部のエアーを内部へ導き、モジュール内の発熱部品から発生する熱を連通流路を介して排気口から外部に排出することにより、遊技機用モジュール（発熱部品）の冷却を行うことができる。また、排気ファンの代わりとして吸気ファンを用いることにより、外部のエアーを吸気口から連通流路を介して複数の遊技機用モジュール内に導き、モジュール内の発熱部品から発生する熱をモジュール内に設けられた排気口から外部に排出することにより、遊技機用モジュール（発熱部品）の冷却を行うことができる。これらの場合、例えば、複数の遊技機用モジュールの冷却を、単一の排気ファンまたは単一吸気ファンで行えるため、排気ファンまたは吸気ファンの設置場所の制限を緩和することができると共に、排気ファンまたは吸気ファンの設置に係るコストを削減することができる。また、単一の排気ファンまたは単一の吸気ファンで冷却を行うことで、遊技機ユニット内を流れる冷却風の気流の方向が一定となり、冷却風の相反の干渉や相互間のショートサーキットを防ぐことができる。これにより、効率よく冷却することができ、冷却効率を高めることができる。
【０００８】
これらの場合、連通流路は、複数のモジュールケースの任意の１のモジュールケースに一体に形成され、他のモジュールケースに対し、連通口部分で係合していることが好ましい。
【０００９】
この構成によれば、連通流路が、モジュールケースに一体に形成することで、別部材によって連通流路を形成する必要がない。これにより、連通流路を簡単に形成することができると共に、部品点数を削減することができる。また、他のモジュールとは連通口で係合するため、連通口からエアーが漏れることを防止すると共に、モジュール内のエアーを確実に排出、あるいは、モジュール内にエアーを確実に送り込むことができる。
【００１０】
これらの場合、複数の遊技機用モジュールは、間隙を存して重ねるように配置した２つの遊技機用モジュールで構成され、連通流路は、間隙に配設されていることが好ましい。
【００１１】
この構成によれば、連通流路は、２つの遊技機用モジュールの相互の間隙に配設されるため、連通流路用のスペースを確保する必要がなく、遊技機用モジュール間のスペースを有効に活用することができる。
【００１２】
本発明の遊技機は、上記した遊技機用ユニットを備えたことを特徴とする。
【００１３】
この構成によれば、簡単な構成で、遊技機用ユニット内の冷却を確実に行うことができるため、遊技機の信頼性を向上させることができる。
【発明を実施するための最良の形態】
【００１４】
以下、添付の図面を参照して、本実施形態に係る遊技機用モジュールおよびこれを用いた遊技機について説明する。本実施形態に係る遊技機は、グラフィック表示のための遊技機用モジュール（遊技機用表示機）等、複数の遊技機用モジュールを備えたものであり、遊技機用モジュールにおけるケース内部の換気を促進し、発熱部品により昇温されたエアーを外部に廃熱するものである。なお、本実施形態では、遊技機としてパチンコ機を例に挙げて説明する。また、本実施形態において、「前」、「後」、「左」、「右」、「上」、「下」は、パチンコ機で遊技を行う遊技者から見た方向に従う。
【００１５】
図１および図２は、本実施形態に係るパチンコ機１の表裏両側からそれぞれ見た外観斜視図である。両図に示すように、パチンコ機１は、枠状の筐体２と、筐体２に組み込まれた遊技機本体３と、を備えている。
【００１６】
筐体２の前面左部には、ヒンジ４が設けられ、このヒンジ４を介して遊技機本体３が前方に開き戸形式で引き出されるようになっている。そして、遊技機本体３の裏面には、遊技機用表示モジュール５および遊技機用表示モジュール５を制御する制御基板モジュール６が着脱自在に取り付けられ（いずれも後述）、これらにより遊技機用ユニット１０を構成している。また、筐体２の上部裏面側には切欠き部７が形成され、この切欠き部７には、下側から遊技球の受け皿２１が臨んでいる。
【００１７】
遊技機本体３は、前面に広く設けた遊技盤１１と、遊技盤１１の前面を覆う透光板を有する前扉１２と、前面右下部に設けられ、遊技球の発射操作を行うためのハンドル１３と、遊技盤１１の下側に配設した遊技球を貯めるための上皿１４と、上皿１４の下方に配設した下皿１５と、を備えている。
【００１８】
遊技盤１１は、ハンドル１３から打ち出された遊技球を導くガイドレール１６によって囲まれた遊技領域Ａを有し、この遊技領域Ａ内には、遊技球の軌道を変更させる複数の遊技釘１７と、遊技球が入賞すると下皿１５に所定数の遊技球を払い出させる複数の入賞口１８と、遊技球が入ると使用済み遊技球として処理されるアウト口１９が設けられている。また、遊技盤１１の中央部には開口が形成され、この開口には裏側から遊技機用表示モジュール５の液晶ディスプレイ２６が臨んでいる。また、前扉１２は、遊技盤１１に対し開閉自在に設けられており、前扉１２を開放することにより、遊技盤１１の盤面のメンテナンス等を行うことが可能になっている。
【００１９】
遊技機本体３の裏面側には、遊技盤１１の裏面の位置に、外部の遊技球供給装置（図示省略）から供給される遊技球を自機に導入する導入ユニット８と、導入ユニット８の下方に配置された遊技機用表示モジュール５と、遊技機用表示モジュール５を背面から覆うように取り付けられた制御基板モジュール６と、が配設されており、各モジュールは、連通流路９により連通されている（遊技機用ユニット１０）。すなわち、連通流路９は、遊技機用表示モジュール５と制御基板モジュール６の間隙を利用して形成されることとなり、これにより、遊技機内のスペースを有効に活用することができる。
【００２０】
導入ユニット８は、上記の切欠き部７の下部に配設される受け皿２１と、受け皿２１から供給された遊技球を上皿１４および下皿１５に選択的に供給する払出し装置２２と、受け皿２１と払出し装置２２とを接続する遊技球供給通路２３と、払出し装置２２と上皿１４および下皿１５とを接続する遊技球分岐通路２４と、で構成されている。遊技球供給通路２３は、プラスチック等の樹脂性材料で形成されており、払出し装置２２に向かって遊技球が転動するように図２に示す矢印Ｃ方向に下り傾斜に形成されている。
【００２１】
図３および図４に示すように、遊技盤１１に裏側から臨む遊技機用表示モジュール５は、表側の液晶ディスプレイ２６と、液晶ディスプレイ２６の裏面に添設したバックライト２７と、これらを収容する表示用モジュールケース２８と、表示用モジュールケース２８の裏側に凸状に形成された連通流路９と、を有している。なお、図３（ａ）は、遊技機用表示モジュール５を表側から見た斜視図であり、図３（ｂ）は、裏側から見た斜視図である。また、図４は、遊技機用表示モジュール５および制御基板モジュール６の断面図（側面図）であり、矢印（点線）は、エアーの流れを示している。
【００２２】
液晶ディスプレイ２６には、表示制御回路の制御により、抽選結果などの遊技に関連した画像（図柄）が表示される。バックライト２７は、蛍光管および反射板（図示省略）を有し、駆動制御回路の蛍光管への電圧印加により、蛍光管の生じた放電光を反射板に反射させて液晶ディスプレイ２６側に射出する。
【００２３】
図３に示すように、表示用モジュールケース２８は、天板３１、底板３２、両側板３３および裏板３４により方形箱状に形成されており、前面開放部分には、液晶ディスプレイ２６が嵌め込まれている。天板３１の上面には左右一対の掛止部３５が設けられる一方、底板３２の下面には左右一対の固定金具３６が設けられ、一対の掛止部３５を遊技機本体３の一対のフック（図示省略）に掛止し、かつ一対の固定金具３６で遊技機本体３に締結することにより、表示用モジュールケース２８が遊技機本体３に固定されている。また、両側板３３には、それぞれの側面に２個ずつ、計４個の接続部材３７が突設されており、それぞれの接続部材３７には複数（ここでは４本）のピン状の突起３８が形成されている。そして、接続部材３７に後述する制御基板モジュール６の係合部材５５を装着することで、遊技機用表示モジュール５の裏面に制御基板モジュール６が取り付けられている。
【００２４】
表示用モジュールケース２８の底板３２には、ガラリ状の６つ（複数）の底板主吸気口４１と、スリット状の２つ（複数）の底板副吸気口４２と、がそれぞれ横並びに形成され、表示用モジュールケース２８の裏板３４の下部には、スリット状の２つ（複数）の裏板吸気口４３が形成されている。そして、これら底板主吸気口４１、底板副吸気口４２および裏板吸気口４３から表示用モジュールケース２８内に外気（エアー）を取り込み、ケース内の液晶ディスプレイ２６およびバックライト２７の裏側に形成された通気空間Ｒを通過させることで、液晶ディスプレイ２６およびバックライト２７の発熱によるケース内部の温度上昇を抑制し、これにより、遊技機用表示モジュール５の冷却を行う。
【００２５】
連通流路９は、表示用モジュールケース２８の開口４５から送られるエアーを吸込む吸込側連通口４６と、吸込側連通口４６と対峙する位置に形成され、制御用モジュールケース５３と嵌合する嵌合側連通口４７と、連通流路９の上部に形成され、連通流路９に流れ込むエアーを外部に排出する排気側連通口４８と、連通流路９の内部に形成された単一の排気ファン４９と、を有し、表示用モジュールケース２８の裏板３４の上部中央から後方（図４では右手方向）に突出（凸状）するように、且つ表示用モジュールケース２８と一体に形成されている。そして、連通流路９を介して遊技機用表示モジュール５と制御基板モジュール６と、が連通している。
【００２６】
吸込側連通口４６は、表示用モジュールケース２８の裏板３４に形成された開口４５と一体になるように形成されている。そして、上記の底板主吸気口４１、底板副吸気口４２および裏板吸気口４３から取り込まれたエアーは、通気空間Ｒを介して吸込側連通口４６から連通流路９に導かれる。
【００２７】
嵌合側連通口４７は、ガラリ状の連通口であり、連通流路９より一回り小さく、且つ連通流路９と一体に形成されている。すなわち、連通流路９と段差を設けて突出するように形成されており、その突出部分（凸部分）と後述する制御基板モジュール６の凹部分と、が嵌合するようになっている（図６参照）。そして、制御基板モジュール６から送られてくるエアーを連通流路９に導く。
【００２８】
排気側連通口４８は、連通流路９の上面に形成されたガラリ状の連通口であり、吸込側連通口４６および嵌合側連通口４７から送られてくるエアーをモジュールケース外部に排出する（筐体２の上方に向かって排出する）。
【００２９】
排気ファン４９は、その駆動により、表示用モジュールケース２８の底板主吸気口４１、底板副吸気口４２および裏板吸気口４３から、外部のエアーを表示用モジュールケース２８内に吸込み、吸込んだエアーを吸込側連通口４６を介して排気側連通口４８から排気する。すなわち、外部のエアーを表示用モジュールケース２８の下方から吸い上げ、通気空間Ｒを通過することにより昇温したエアーを排気側連通口４８から表示用モジュールケース２８上方に向けて排気する。また、制御基板モジュール６（制御用モジュールケース５３）からもエアーを吸込み、嵌合側連通口４７を介して排気側連通口４８から排気する（詳細は後述）。すなわち、排気ファン４９は、表示用モジュールケース２８および制御用モジュールケース５３内を換気する。これにより、各モジュール内の温度上昇を抑制することができる。
【００３０】
次に、図４および図５を参照して、制御基板モジュール６について説明する。制御基板モジュール６は、液晶ディスプレイ２６の表示を制御する表示制御回路やバックライト２７の駆動を制御する駆動制御回路等の複数の電子回路５２を組み込んだ回路基板５１と、これを収容する制御用モジュールケース５３と、遊技機用表示モジュール５と係合する４つ（複数）の係合部材５５と、を有している。
【００３１】
電子回路５２は、入賞口１８に落入した際の抽選を行う抽選制御回路、液晶ディスプレイ２６に抽選結果などの遊技に関連する画像を表示制御し、グラフィック処理等の高速演算処理を行う表示制御回路、抽選結果に基づき遊技玉の払出しを制御する払出制御回路およびバックライト２７を駆動制御する駆動制御回路等で構成され、これらが回路基板５１に実装されている。そして、回路基板５１上には、グラフィック処理等に供されるパワートランジスタ等の複数の発熱部品５６が組み込まれている（図４参照）。
【００３２】
図５に示すように、制御用モジュールケース５３は、天板６１、底板６２、両側板６３、表板６４および裏板６５により方形箱状に形成されており、裏板６５には、凹型の連通口部５４が形成されている。制御用モジュールケース５３の底板６２には、ガラリ状の６つ（複数）の底板吸気口６６が横並びに形成され、これら底板吸気口６６から制御用モジュールケース５３内に外気を取り入れ、上記発熱部品５６に臨むように形成された通気空間Ｒを通過させることで、制御基板モジュール６内の冷却（温度上昇の抑制）を行う。
【００３３】
制御用モジュールケース５３の裏板６５の四隅には、表示用モジュールケース２８（遊技機用表示モジュール５）と接続するための４つの係合部材５５が止着されており、各係合部材５５には、表示用モジュールケース２８の接続部材３７に形成されたピン状の突起３８に対応するように、４つのピン孔６７が形成されている。そして、接続部材３７のピン状の突起３８を、係合部材５５のピン孔６７に装着することで、遊技機用表示モジュール５の裏側から臨むように制御基板モジュール６を取り付ける。なお、表示用モジュールケース２８と制御用モジュールケース５３と、の固定は、上述の固定方法に限らず、例えば、ネジ止め等によって固定するようにしても良い。
【００３４】
連通口部５４は、裏板６５の上部中央に凹型に形成されたガラリ状の連通口であり、上述の連通流路９に形成された嵌合側連通口４７の凸部分と嵌合する（図６参照）。そして、連通流路９内に配置された排気ファン４９の駆動により、底板吸気口６６から外部のエアーが吸込まれ、連通口部５４（嵌合側連通口４７）を介して連通流路９にエアーが流入する。この時、連通口部５４と嵌合側連通口４７と、が凹凸部分で嵌合することで、その嵌合部分からエアーがリークすることを防止し、制御用モジュールケース５３内のエアーを確実に連通流路９に導くことができる。
【００３５】
ここで、図４を参照して、モジュールの冷却方法について説明する。なお、図中の矢印はエアーの流れを示している。まず、連通流路９内に設置された単一の排気ファン４９を駆動する。排気ファン４９の駆動により、遊技機用表示モジュール５（表示用モジュールケース２８）の底板主吸気口４１、底板副吸気口４２、裏板吸気口４３、および制御基板モジュール６（制御用モジュールケース５３）の底板吸気口６６から外部のエアーが各ケース内部に吸込まれる。
【００３６】
吸込まれたエアーは、各ケースに設けられた通気空間Ｒを流れ、ケース内に配置された液晶ディスプレイ２６、バックライト２７および発熱部品５６により昇温される。昇温されたエアーは、排気ファン４９により各ケース内の下方から上方に移動（吸上げられ）してゆき、吸込側連通口４６および連通口部５４を介して連通流路９に流入する。そして、昇温エアーは、連通流路９の上部に形成された排気側連通口４８から筐体２の上方に向かってケース外部に排出される。すなわち、２つのモジュール（遊技機用表示モジュール５および制御基板モジュール６）が、連通流路９を介して結合され、単一の排気ファン４９の駆動により、双方のモジュール内の昇温エアーを同時に廃熱することができ、これにより発熱部品５６等を冷却する。
【００３７】
なお、排気ファン４９の代わりとして、吸気ファンを設置し、上述の排気側連通口４８から外気を吸込み、各ケース内の通気空間Ｒを介してケース下方に形成された吸気口（上述の底板主吸気口４１や底板吸気口６６等に相当）から昇温エアーを排出（廃熱）することで、発熱部品５６等の冷却を行っても良い。
【００３８】
また、各底板主吸気口４１、各底板副吸気口４２、各裏板吸気口４３、各底板吸気口６６および各連通口（排気側連通口４８等）は、複数の小孔で形成してもよい。さらに、表示用モジュールケース２８の裏板３４および制御用モジュールケース５３の裏板６５に複数の吸気口を設け、更に多くの外気を取り入れるようにしてもよい。
【００３９】
以上のように、本実施形態によれば、複数の遊技機用モジュール（遊技機用表示モジュール５および制御基板モジュール６等）を連通流路９を介して接続し、連通流路９内に設置された単一の排気ファン４９を駆動することにより、複数の遊技機用モジュール内に外部のエアーを流入させると共に、各モジュール内の発熱部品５６の放熱により昇温したエアーの排出を行うことで、複数の遊技機用モジュール（発熱部品５６）の冷却を同時に行うことができる。これにより、排気ファン４９の設置場所の制限を緩和することができると共に、排気ファンの設置に係るコストを削減することができる。また、単一の排気ファン４９により冷却を行うため、モジュール内のエアーの流れが一定方向となり、エアーの相反の干渉や相互間のショートサーキットを防ぐことができる。これにより、昇温エアーを効率よく外部に排出することができ、発熱部品５６を効率よく冷却（モジュール内部の温度上昇の抑制）することができる。
【００４０】
なお、本実施形態では、パチンコ機１を例に説明をしたが、これに限定されるものではなく、発熱部品５６を有する遊技機用モジュール等を備えたスロット機やゲーム機等のアミューズメント機であれば、本発明を適用することができる。
【図面の簡単な説明】
【００４１】
【図１】本発明の実施形態に係るパチンコ機を前面側から見た外観斜視図である。
【図２】本実施形態に係るパチンコ機を後面側から見た外観斜視図である。
【図３】（ａ）は遊技機用表示モジュールの前面側の外観斜視図であり、（ｂ）は遊技機用表示モジュールの後面側の外観斜視図である。
【図４】遊技機用表示モジュールおよび制御基板モジュールの断面図（側面図）である。
【図５】（ａ）は制御基板モジュールの前面側の外観斜視図であり、（ｂ）は制御基板モジュールの後面側の外観斜視図である。
【図６】遊技機用表示モジュールおよび制御基板モジュールの断面図（上面図）である。
【符号の説明】
【００４２】
３…遊技機本体  ５…遊技機用表示モジュール  ６…制御基板モジュール  ９…連通流路  １０…遊技機用ユニット  ２８…表示用モジュールケース  ４１…底板主吸気口  ４２…底板副吸気口  ４３…裏板吸気口  ４６…吸込側連通口  ４７…嵌合側連通口  ４８…排気側連通口  ４９…排気ファン  ５３…制御用モジュールケース  ５４…連通口部  ５６…発熱部品  ６６…底板吸気口  Ｒ…通気空間
【図１】
2008237506.tif 000003
【図２】
2008237506.tif 000004
【図３】
2008237506.tif 000005
【図４】
2008237506.tif 000006
【図５】
2008237506.tif 000007
【図６】
2008237506.tif 000008